(57)【要約】  中継局装置を介して基地局装置と端末装置との間で無線通信を行う無線通信システムにおいて、前記基地局装置は、前記中継局装置と前記端末装置に対する無線リソースの割り当て方式、又は前記無線リソースの割り当て方式及びスケジューリング方式、又は前記無線リソースの割り当て方式及びスケジューリング方式及び前記中継局装置における中継方式、のうち少なくともいずれかを変更する変更部と、前記変更部により変更したことを示す変更通知を前記中継装置に送信する送信部とを備え、前記中継装置は、前記変更通知を受信する受信部を備え、前記基地局装置、前記中継局装置、及び前記端末装置は、少なくとも変更後の前記無線リソースの割り当て方式により割り当てた又は割り当てられた前記無線リソースを用いて無線通信を行う。
2011007388.tif 000002
【特許請求の範囲】
【請求項１】
中継局装置を介して基地局装置と端末装置との間で無線通信を行う無線通信システムにおいて、
前記基地局装置は、
前記中継局装置と前記端末装置に対する無線リソースの割り当て方式、又は前記無線リソースの割り当て方式及びスケジューリング方式、又は前記無線リソースの割り当て方式及びスケジューリング方式及び前記中継局装置における中継方式、のうち少なくともいずれかを変更する変更部と、
前記変更部により変更したことを示す変更通知を前記中継装置に送信する送信部とを備え、
前記中継装置は、
前記変更通知を受信する受信部を備え、
前記基地局装置、前記中継局装置、及び前記端末装置は、少なくとも変更後の前記無線リソースの割り当て方式により割り当てた又は割り当てられた前記無線リソースを用いて無線通信を行うことを特徴とする無線通信システム。
【請求項２】
前記変更部は、前記端末装置の無線リソース量または前記端末装置の数に基づいて、前記変更を行うことを特徴とする請求項１記載の無線通信システム。
【請求項３】
前記変更部は、前記中継装置に記憶された送信データのデータ量に基づいて前記変更の変更タイミングを決定し、
前記送信部は、前記変更タイミングを前記変更通知に含めて前記中継装置に送信することを特徴とする請求項１記載の無線通信システム。
【請求項４】
前記無線リソースの割り当て方式は、時間領域と周波数領域とを有する無線フレームが予め分割され分割された領域内で、前記基地局装置と前記中継局装置間の無線通信で使用される第１の無線リソースと前記中継局装置と前記端末装置間の無線通信で使用される第２の無線リソースとが各々割り当てられる第１の割り当て方式、又は前記無線フレーム内において第１及び第２の無線リソースがランダムに割り当てられる第２の割り当て方式であり、
前記変更部は、前記第１又は第２の割り当て方式に変更することを特徴とする請求項１記載の無線通信システム。
【請求項５】
前記変更部は、前記端末装置の無線リソース量または前記端末装置の数が閾値以上のとき、前記第１の割り当て方式に変更し、前記無線リソース量または前記端末装置の数が閾値未満のとき、前記第２の割り当て方式に変更することを特徴とする請求項４記載の無線通信システム。
【請求項６】
前記スケジューリング方式は、前記基地局装置においてスケジューリングを行う第１のスケジューリング方式、又は前記基地局装置と前記中継局装置においてスケジューリングを行う第２のスケジューリング方式であり、
前記変更部は、前記第１又は第２のスケジューリング方式に変更することを特徴とする請求項４記載の無線通信システム。
【請求項７】
前記変更部は、前記端末装置の無線リソース量または前記端末装置の数が閾値以上のとき、前記第２のスケジューリング方式に変更し、前記無線リソース量または前記端末装置の数が閾値未満のとき、前記第１のスケジューリング方式に変更することを特徴とする請求項６記載の無線通信システム。
【請求項８】
前記中継方式は、無線通信により中継する中継データに対して誤り訂正及び増幅を行う第１の中継方式、又は前記中継データを増幅する第２の中継方式であることを特徴とする請求項１記載の無線通信システム。
【請求項９】
前記変更部は、前記端末装置の無線リソース量または前記端末装置の数が閾値以上のとき、前記第１の中継方式に変更し、前記無線リソース量または前記端末装置の数が閾値未満のとき、前記第２の中継方式に変更することを特徴とする請求項８記載の無線通信システム。
【請求項１０】
中継局装置を介して端末装置と無線通信を行う基地局装置において、
前記中継局装置と前記端末装置に対する無線リソースの割り当て方式、又は前記無線リソースの割り当て方式及びスケジューリング方式、又は前記無線リソースの割り当て方式及びスケジューリング方式及び前記中継局装置における中継方式、のうち少なくともいずれかを変更する変更部と、
前記変更部により変更したことを示す変更通知を前記中継装置に送信する送信部とを備え、
少なくとも変更後の前記無線リソースの割り当て方式により割り当てた前記無線リソースを用いて前記中継局装置及び前記端末装置と無線通信を行うことを特徴とする基地局装置。
【請求項１１】
基地局装置及び端末装置と無線通信を行う中継局装置において、
前記中継局装置と前記端末装置に対する無線リソースの割り当て方式、又は前記無線リソースの割り当て方式及びスケジューリング方式、又は前記無線リソースの割り当て方式及びスケジューリング方式及び前記中継局装置における中継方式、のうち少なくともいずれかが変更され、前記変更されたことを示す変更通知を前記基地局装置から受信する受信部を備え、
少なくとも変更後の前記無線リソース割り当て方式に割り当てた又は割り当てられた前記無線リソースを用いて前記基地局装置及び前記端末装置と無線通信を行うことを特徴とする中継局装置。
【請求項１２】
基地局装置と中継局装置を介して無線通信を行う端末装置において、
前記中継局装置と前記端末装置に対する無線リソースの割り当て方式、又は前記無線リソースの割り当て方式及びスケジューリング方式、又は前記無線リソースの割り当て方式及びスケジューリング方式及び前記中継局装置における中継方式、のうち少なくともいずれかが変更され、少なくとも変更後の前記無線リソース割り当て方式により割り当てられた前記端末装置に対する前記無線リソースに関する情報を前記中継局装置から受信する受信部と、
前記無線リソースを用いて前記中継局装置と無線通信を行う通信部と
を備えることを特徴とする端末装置。
【請求項１３】
中継局装置を介して基地局装置と端末装置との間で無線通信を行う無線通信システムにおける無線通信方法であって、
前記基地局装置は、
前記中継局装置と前記端末装置に対する無線リソースの割り当て方式、又は前記無線リソースの割り当て方式及びスケジューリング方式、又は前記無線リソースの割り当て方式及びスケジューリング方式及び前記中継局装置における中継方式、のうち少なくともいずれかを変更し、
前記変更部により変更したことを示す変更通知を前記中継装置に送信し、
前記中継装置は、
前記変更通知を受信し、
前記基地局装置、前記中継局装置、及び前記端末装置は、少なくとも変更後の前記無線リソースの割り当て方式により割り当てた又は割り当てられ前記無線リソースを用いて無線通信を行うことを特徴とする無線通信方法。
【発明の詳細な説明】
【技術分野】
【０００１】
本発明は、無線通信システム、基地局装置、端末装置、中継局装置、及び無線通信システムにおける無線通信方法に関する。
【背景技術】
【０００２】
従来から、中継局装置（以下、「中継局」）を介して基地局装置（以下、「基地局」）と端末装置（以下、「端末」）との間で無線通信を行う無線通信システムがある（例えば、以下の特許文献１及び２）。【０００３】
このような中継局を利用した無線通信システムにおいて、ＡＦ（Amplified and Forward）方式とＤＦ（Decode and Forward）方式の２つの中継方式がある（例えば、以下の非特許文献１及び２）。【０００４】
また、このような無線通信システムにおけるスケジューリングについても、Ｃｅｎｔｒａｌｉｚｅｄスケジューリング（Centralized scheduling）とＤｉｓｔｒｉｂｕｔｅｄスケジューリング(Distributed scheduling)が開示される（例えば、以下の非特許文献３〜５）。Ｃｅｎｔｒａｌｉｚｅｄスケジューリングは、例えば、基地局が、基地局の通信相手（中継局または端末）と中継局の通信相手（端末）のスケジューリングを行う方式である。Ｄｉｓｔｒｉｂｕｔｅｄスケジューリングは、例えば、基地局の通信相手については基地局がスケジューリングを行い、中継局の通信相手は中継局がスケジューリングを行う方式である。【０００５】
さらに、無線リソースの割り当てについて、無線フレームがアクセス領域と中継領域に分割され、例えば、基地局と中継局間の通信はアクセス領域、中継局と端末等の通信は中継領域を利用して無線通信を行うようにしたものも開示される（例えば、以下の非特許文献６）。
【先行技術文献】
【特許文献】
【０００６】
【特許文献１】特開２００７‐１１０７２５号公報
【特許文献２】特開２００７‐１５０９１１号公報
【非特許文献】
【０００７】
【非特許文献１】3GPP TR 25.956 V8.0.0
【非特許文献２】Michael R. Souryal et al, "PERFORMANCEOF AMPLIFY-AND-FORWARD AND DECODE-AND-FORWARD RELAYING IN RAYLEIGH FADING WITHTURBO CODES"
【非特許文献３】Harish Viswanthan et al, "Performanceof Cellular Network With Relays and Centralized Scheduling"
【非特許文献４】Ioannis Krikidis et al, "Three SchedulingSchemes for Amplify-and-Forward Relay Environments"
【非特許文献５】Liping Wang et al, "A NovelCentralized Resource Scheduling Scheme in OFDMA-Based Two-Hop Relay-EnhancedCellular Systems"
【非特許文献６】要海  敏和、”８０２．１６（ＢＷＡ）の標準化動向（６）：ＩＥＥＥ８０２．１６ｊ（Ｒｅｌａｙ  ＴＧ）の進捗状況”
【発明の概要】
【発明が解決しようとする課題】
【０００８】
しかしながら、中継局と端末との無線通信において、中継領域の無線リソースが利用された場合、中継局と無線通信を行う端末数が閾値より少ないと、中継領域の無線リソースに余りが生じる場合がある。【０００９】
そこで、本発明の一目的は、無線リソースを有効活用できるようにした無線通信システム、基地局装置、端末装置、中継局装置、及び無線通信システムにおける無線通信方法を提供することにある。
【課題を解決するための手段】
【００１０】
一態様によれば、中継局装置を介して基地局装置と端末装置との間で無線通信を行う無線通信システムにおいて、前記基地局装置は、前記中継局装置と前記端末装置に対する無線リソースの割り当て方式、又は前記無線リソースの割り当て方式及びスケジューリング方式、又は前記無線リソースの割り当て方式及びスケジューリング方式及び前記中継局装置における中継方式、のうち少なくともいずれかを変更する変更部と、前記変更部により変更したことを示す変更通知を前記中継装置に送信する送信部とを備え、前記中継装置は、前記変更通知を受信する受信部を備え、前記基地局装置、前記中継局装置、及び前記端末装置は、少なくとも変更後の前記無線リソースの割り当て方式により割り当てた又は割り当てられた前記無線リソースを用いて無線通信を行う。
【発明の効果】
【００１１】
無線リソースを有効活用できるようにした無線通信システム、基地局装置、端末装置、中継局装置、及び無線通信システムにおける無線通信方法を提供することができる。
【図面の簡単な説明】
【００１２】
【図１】図１は無線通信システムの構成例を示す図である。
【図２】図２は基地局装置の構成例を示す図である。
【図３】図３は中継局装置の構成例を示す図である。
【図４】図４は端末装置の構成例を示す図である。
【図５】図５は動作例を示すシーケンス図である。
【図６】図６は動作例を示すシーケンス図である。
【図７】図７は動作例を示すフローチャートである。
【図８】図８は動作例を示すシーケンス図である。
【図９】図９は動作例を示すフローチャートである。
【図１０】図１０（Ａ）及び同図（Ｂ）は無線フレームの構成例を示す図である。
【図１１】図１１は無線フレームの構成例を示す図である。
【図１２】図１２は動作例を示すシーケンス図である。
【図１３】図１３は動作例を示すフローチャートである。
【図１４】図１４は動作例を示すシーケンス図である。
【図１５】図１５は動作例を示すフローチャートである。
【図１６】図１６は基地局装置の構成例を示す図である。
【図１７】図１７は中継局装置の構成例を示す図である。
【図１８】図１８は動作例を示すシーケンス図である。
【図１９】図１９は動作例を示すシーケンス図である。
【図２０】図２０は動作例を示すシーケンス図である。
【図２１】図２１は動作例を示すフローチャートである。
【図２２】図２２は動作例を示すシーケンス図である。
【図２３】図２３は基地局装置の構成例を示す図である。
【図２４】図２４は中継局装置の構成例を示す図である。
【図２５】図２５は動作例を示すシーケンス図である。
【図２６】図２６は動作例を示すシーケンス図である。
【図２７】図２７は動作例を示すシーケンス図である。
【図２８】図２８は動作例を示すシーケンス図である。
【発明を実施するための形態】
【００１３】
本発明を実施するための形態について以下説明する。
【００１４】
＜第１の実施例＞
第１の実施例について説明する。図１は第１の実施例における無線通信システム１０の構成例を示す図である。無線通信システム１０は、基地局装置ｅＮＢ（eNode B）１００と、中継局装置ＲＮ（Relay Node）３００と、端末装置ＵＥ（User Equipment）５００とを備える。
【００１５】
基地局装置（以下、「基地局」）１００は、中継局装置（以下、「中継局」）３００を介して端末装置（以下、「端末」）５００‐１と無線通信を行い、さらに、直接端末５００−２と無線通信も行うこともできる。
【００１６】
無線通信システム１０は、中継局３００を介した無線通信を行うことができるため、サービス範囲を拡大でき、不感エリア対策も施すことができる。
【００１７】
次に、基地局１００、中継局３００、及び端末５００の各構成例について説明する。
【００１８】
図２は基地局１００の構成例を示す図である。基地局１００は、アンテナ１０１と、受信無線部１０２と、復調・復号部１０３と、基地局リレー間下り無線回線品質情報抽出部（以下、「基地局リレー間下り品質抽出部」）１０４と、リレー端末間下り無線回線品質情報抽出部（以下、「リレー端末間下り品質抽出部」）１０５と、基地局リレー間上り無線回線品質情報測定算出部（以下、「基地局リレー間上り品質算出部」）１０６と、リレー端末間上り無線回線品質情報抽出部（以下、「リレー端末間上り品質抽出部」）１０７と、スケジューラ１１０と、ダイナミック無線リソース割り当て制御部（以下、「ダイナミック割り当て制御部」）１１１と、ダイナミック無線リソース割り当て制御信号作成部（以下、「ダイナミック割り当て制御信号作成部」）１１２と、部分無線リソース割り当て制御部（以下、「部分割り当て制御部」）１１３と、部分無線リソース割り当て制御信号作成部（以下、「部分割り当て制御信号作成部」）１１４と、基地局リレー間通信制御信号作成部１１５と、リレー端末間通信制御信号作成部１１６と、無線リソース割り当て制御方法切替え制御部（以下、「切替え制御部」）１２０と、無線リソース割り当て制御方法切替え制御信号作成部（以下、「切替え制御信号作成部」）１２１と、符号化・変調部１２２と、送信無線部１２３とを備える。
【００１９】
アンテナ１０１は、中継局３００、又は基地局１００配下の端末５００から送信された無線信号を受信し、又は中継局３００等に無線信号を送信する。
【００２０】
受信無線部１０２は、アンテナ１０１から出力された無線信号を受信信号として出力する。
【００２１】
復調・復号部１０３は、受信無線部１０２から出力された受信信号に対して、スケジューラ１１０で決定したスケジューリングに基づいて、復調及び復号を行う。
【００２２】
基地局リレー間下り品質抽出部１０４は、復調・復号部１０３から出力された受信信号のうち、基地局１００と中継局３００間の下り方向における無線回線品質情報（以下、「基地局リレー間下り品質情報」）を抽出する。基地局リレー間下り品質抽出部１０４は、抽出した基地局リレー間下り品質情報をスケジューラ１１０に出力する。
【００２３】
リレー端末間下り品質抽出部１０５は、復調・復号部１０３から出力された受信信号のうち、中継局３００と端末５００間の下り方向における無線回線品質情報（以下、「リレー端末間下り品質情報」）を抽出する。リレー端末間下り品質抽出部１０５は、抽出したリレー端末間下り品質情報をスケジューラ１１０に出力する。
【００２４】
基地局リレー間上り品質算出部１０６は、中継局３００から送信されたパイロット信号（または既知信号）等に基づいて、基地局１００と中継局３００間の上り方向における無線回線品質情報（以下、「基地局リレー間上り品質情報」）を測定及び算出する。基地局リレー間上り品質算出部１０６は、算出した基地局リレー間上り品質情報をスケジューラ１１０に出力する。
【００２５】
リレー端末間上り品質抽出部１０７は、復調・復号部１０３から出力された受信信号のうち、中継局３００と端末５００との間の上り方向における無線回線品質情報（以下、「リレー端末間上り品質情報」）を抽出する。リレー端末間上り品質抽出部１０７は、抽出したリレー端末間上り品質情報をスケジューラ１１０に出力する。
【００２６】
スケジューラ１１０は、各品質情報に基づいて、各無線区間のスケジューリングを行う。例えば、スケジューラ１１０は、基地局リレー間下り品質情報に基づいて、基地局１００から中継局３００への下り方向におけるスケジューリングを行う。本第１の実施例において、スケジューラ１１０は、Ｃｅｎｔｒａｌｉｚｅｄスケジューリングを行い、各無線区間の品質情報を受信してスケジューリングを行う。
【００２７】
ダイナミック割り当て制御部１１１は、無線リソースの割り当てに関し、ダイナミック無線リソース割り当てを行う。ダイナミック無線リソース割り当ては、例えば、基地局１００と中継局３００とが使用する無線リソースを無線フレーム内において別々に分けることなくダイナミックに割り当てる方法である。図１１はダイナミック無線リソース割り当てによる無線フレームの構成例を示す図である。ダイナミック割り当て制御部１１１は、割り当てた無線リソースに関する情報をダイナミック割り当て制御信号作成部１１２に出力する。また、ダイナミック割り当て制御部１１１は、割り当てた無線リソースで中継局３００等との間でデータを受信又は送信できるように、受信無線部１０２または送信無線部１２３を制御する。
【００２８】
ダイナミック割り当て制御信号作成部１１２は、無線リソースに関する情報に基づいて、ダイナミック無線リソース割り当て制御信号（以下、「ダイナミック割り当て制御信号」）を作成する。ダイナミック割り当て制御信号作成部１１２は、ダイナミック割り当て制御信号を符号化・変調部１２２に出力する。
【００２９】
部分割り当て制御部１１３は、無線リソースの割り当てに関し、部分無線リソース割り当てを行う。部分無線リソース割り当ては、例えば、無線フレーム中において、基地局１００が使用する無線リソースと中継局３００が使用する無線リソースとを別々の領域に分けて各々無線リソースが割り当てられる方法である。図１０（Ａ）及び同図（Ｂ）は部分無線リソース割り当てによる無線フレームの構成例を示す図である。部分割り当て制御部１１３は、無線リソースに関する情報を部分割り当て制御信号作成部１１４に出力する。また、部分割り当て制御部１１３は、割り当てた無線リソースで中継局３００等との間でデータを受信又は送信できるように、受信無線部１０２又は送信無線部１２３等を制御する。
【００３０】
部分割り当て制御信号作成部１１４は、無線リソースに関する情報に基づいて、部分無線リソース割り当て制御信号（以下、「部分割り当て制御信号」）を作成する。部分割り当て制御信号作成部１１４は、部分割り当て制御信号を符号化・変調部１２２に出力する。
【００３１】
基地局リレー間通信制御信号作成部１１５は、スケジューラ１１０から出力されたスケジューリング情報に基づいて、基地局１００と中継局３００の間のスケジューリング情報を含む基地局リレー間通信制御信号を作成する。基地局リレー間通信制御信号作成部１１５は、作成した基地局リレー間通信制御信号を符号化・変調部１２２に出力する。
【００３２】
リレー端末間通信制御信号作成部１１６は、スケジューラ１１０から出力されたスケジューリング情報に基づいて、中継局３００と端末５００との間のスケジューリング情報を含むリレー端末間通信制御信号を作成する。リレー端末間通信制御信号作成部１１６は、作成したリレー端末間通信制御信号を符号化・変調部１２２に出力する。
【００３３】
切替え制御部１２０は、無線リソースの割り当て方法を切替える。例えば、切替え制御部１２０は、無線リソース量等に基づいて、部分無線リソース割り当てからダイナミック無線リソース割り当てに切替える。切替え制御部１２０は、部分無線リソース割り当てに切替えたとき、部分割り当て制御部１１３の電源をオンにし、ダイナミック割り当て制御部１１１の電源をオフにする。また、切替え制御部１２０は、ダイナミック無線リソース割り当てに切替えたとき、部分割り当て制御部１１３の電源をオフにし、ダイナミック割り当て制御部１１１の電源をオンにする。切替えの詳細は後述する。切替え制御部１２０は、無線リソース割り当て方法に関する情報を切替え制御信号作成部１２１に出力する。
【００３４】
切替え制御信号作成部１２１は、無線リソースの割り当て方法に関する情報に基づいて、無線リソース割り当て方法の情報を含む切替え制御信号を作成する。切替え制御信号作成部１２１は、切替え制御信号を符号化・変調部１２２に出力する。
【００３５】
符号化・変調部１２２は、スケジューラ１１０で決定したスケジューリングに応じて、送信データに対して符号化及び変調の処理を行う。符号化・変調部１２２は、各制御信号に対して符号化等を行ってもよい。
【００３６】
送信無線部１２３は、符号化・変調部１２２からの出力を無線信号として出力する。無線信号はアンテナ１０１を介して中継局３００等に送信される。
【００３７】
図３は中継局３００の構成例を示す図である。中継局３００は、アンテナ３０１と、上り受信無線部３０２と、復調・復号部３０３と、符号化・変調部３０４と、上り送信無線部３０５と、アンテナ３０６と、リレー端末間下り無線回線品質情報抽出部（以下、「リレー端末間下り品質抽出部」）３０７と、上り無線回線品質測定算出部（以下、「上り品質算出部」）３０８と、上り無線回線品質情報作成部（以下、「上り品質情報作成部」）３０９と、スケジューラ３１０と、ダイナミック無線リソース割り当て制御信号抽出部（以下、「ダイナミック割り当て制御信号抽出部」）３１１と、ダイナミック無線リソース割り当て制御部（以下、「ダイナミック割り当て制御部」）３１２と、部分無線リソース割り当て制御信号抽出部（以下、「部分割り当て制御信号抽出部」）３１３と、部分無線リソース割り当て制御部（以下、「部分割り当て制御部」）３１４と、リレー端末間通信制御信号作成部３１５と、切替え制御信号抽出部３１６と、通信制御信号抽出部３１７と、下り無線回線品質測定部３１８と、下り受信無線部３２０と、復調・復号部３２１と、符号化・変調部３２２と、下り送信無線部３２３とを備える。
【００３８】
アンテナ３０１は、端末５００との間で無線信号を送受信する。
【００３９】
上り受信無線部３０２は、アンテナ３０１で受信した端末５００から送信された無線信号を受信信号として出力する。
【００４０】
復調・復号部３０３は、上り受信無線部３０２から出力された受信信号に対して、スケジューラ３１０で決定等したスケジューリングに基づいて、復調及び復号を行う。
【００４１】
符号化・変調部３０４は、復調・復号部３０３から出力された受信信号等に対して、スケジューラ３１０で決定等したスケジューリングに基づいて、符号化及び変調を行う。
【００４２】
上り送信無線部３０５は、符号化・変調部３０４から出力された受信信号を無線信号としてアンテナ３０６に出力する。
【００４３】
アンテナ３０６は、基地局１００との間で無線信号を送受信する。
【００４４】
リレー端末間下り品質抽出部３０７は、復調・復号部３０３から出力された受信信号のうち、例えば、端末５００から送信されたリレー端末間下り品質情報を抽出する。リレー端末間下り品質抽出部３０７は、抽出したリレー端末間下り品質情報をスケジューラ３１０に出力する。
【００４５】
上り品質算出部３０８は、端末５００から送信されたパイロット信号に基づいて、中継局３００と端末５００との間の上り方向における無線回線品質（以下、「リレー端末間上り品質」）を測定及び算出する。上り品質算出部３０８は、算出した上り方向の無線回線品質をスケジューラ３１０と上り品質情報作成部３０９に出力する。
【００４６】
上り品質情報作成部３０９は、上り無線回線品質を入力すると、リレー端末間上り品質情報を作成する。上り品質情報作成部３０９は、作成した上り無線回線品質情報を符号化・変調部３０４に出力し、基地局１００に送信する。
【００４７】
スケジューラ３１０は、配下の端末５００との間の無線通信に関するスケジューリングを行う。本第１の実施例ではＣｅｎｔｒａｌｉｚｅｄスケジューリングによりスケジューリングが行われるため、スケジューラ３１０は基地局１００のスケジューラ１１０に従ったスケジューリングを実行する。
【００４８】
ダイナミック割り当て制御信号抽出部３１１は、復調・復号部３２１から出力された受信信号のうち、基地局１００から送信されたダイナミック割り当て制御信号を抽出する。ダイナミック割り当て制御信号抽出部３１１は、抽出したダイナミック割り当て制御信号をダイナミック割り当て制御部３１２に出力する。
【００４９】
ダイナミック割り当て制御部３１２は、ダイナミック割り当て制御信号に基づいて、配下の端末５００に対して、ダイナミック無線リソース割り当てを行う。ただし、ダイナミック無線リソース割り当ては基地局１００で行われるため、ダイナミック割り当て制御部３１２は、例えば、ダイナミック割り当て制御信号に従って、無線リソースの割り当てを行う。また、ダイナミック割り当て制御部３１２は、割り当てられた無線リソースで基地局１００及び端末５００との間でデータを送信又は受信できるように、上り受信無線部３０２等を制御する。
【００５０】
部分割り当て制御信号抽出部３１３は、復調・復号部３２１から出力された受信信号のうち、基地局１００から送信された部分割り当て制御信号を抽出し、部分割り当て制御部３１４に出力する。
【００５１】
部分割り当て制御部３１４は、部分割り当て制御信号に基づいて、配下の端末５００に対して、無線フレーム内で予め決められた領域内において、無線リソースの割り当てを行う。また、部分割り当て制御部３１４は、割り当てられた無線リソースで基地局１００及び端末５００との間でデータを送信又は受信できるように、上り受信無線部３０２等を制御する。
【００５２】
リレー端末間通信制御信号作成部３１５は、スケジューラ３１０で決定等したスケジューリング情報をスケジューラ３１０から入力し、中継局３００と端末５００間の通信制御信号を作成する。リレー端末間通信制御信号作成部３１５は、作成したリレー端末間通信制御信号を符号化・変調部３２２に出力する。また、リレー端末間通信制御信号作成部３１５は、例えば、パイロット信号を作成し、符号化・変調部３２２を介して端末５００に送信する。
【００５３】
切替え制御信号抽出部３１６は、復調・復号部３２１から出力された受信信号のうち、基地局１００から送信された切替え制御信号を抽出する。切替え制御信号抽出部３１６は、例えば、切替え制御信号が部分無線リソース割り当てからダイナミック無線リソース割り当てへの切替えを指示する情報を含むとき、ダイナミック割り当て制御部３１２の電源のオンにし、部分割り当て制御部３１４の電源をオフにする。また、切替え制御信号抽出部３１６は、切替え制御信号が部分無線リソース割り当てへの切替えを指示する情報を含むとき、部分割り当て制御部３１４の電源をオンにし、ダイナミック割り当て制御部３１２の電源をオフにする。
【００５４】
下り無線回線品質測定部３１８は、基地局１００から送信されたパイロット信号に基づいて、基地局１００と中継局３００との間の下り方向における無線回線品質を測定する。
【００５５】
下り無線回線品質情報作成部３１９は、下り無線回線品質測定部３１８で測定された下り無線回線品質に基づいて、基地局リレー間下り品質情報を作成する。下り無線回線品質情報作成部３１９は、基地局リレー間下り品質情報を、符号化・変調部３０４等を介して基地局１００に送信する。
【００５６】
下り受信無線部３２０は、アンテナ３０６から出力された無線信号を受信信号として出力する。
【００５７】
復調・復号部３２１は、下り受信無線部３２０から出力された受信信号に対して、スケジューラ３１０で決定等したスケジューリングに基づいて、復調及び復号を行う。
【００５８】
符号化・変調部３２２は、復調・復号部３２１から出力された受信信号等に対して、スケジューラ３１０で決定等したスケジューリングに基づいて、符号化及び変調を行う。
【００５９】
下り送信無線部３２３は、符号化・変調部３２２から出力された受信信号を無線信号に変換してアンテナ３０１に出力する。当該無線信号は端末５００に送信される。
【００６０】
図４は端末５００の構成例を示す図である。端末５００は、アンテナ５０１と、下り受信無線部５０２と、復調・復号部５０３と、通信制御信号抽出部５０４と、無線リソース割り当て制御信号抽出部（以下、「割り当て制御信号抽出部」）５０５と、制御信号送信タイミング情報抽出部５０６と、無線回線品質測定部５０７と、無線回線品質情報作成部５０８と、通信制御部５１０と、上りパイロット信号作成部５１１と、符号化・変調部５１２と、上り送信無線部５１３とを備える。
【００６１】
アンテナ５０１は、中継局３００との間で無線信号を送受信する。アンテナ５０１は、例えば基地局１００と直接無線信号を送受信してもよい。
【００６２】
下り受信無線部５０２は、アンテナ５０１から出力された無線信号を受信信号として出力する。
【００６３】
復調・復号部５０３は、下り受信無線部５０２から出力された受信信号に対して、通信制御部５１０での制御により、復調及び復号の処理を行う。
【００６４】
通信制御信号抽出部５０４は、復調・復号部５０３から出力された受信信号のうち、中継局３００から送信された通信制御信号（例えば、リレー端末間通信制御信号）を抽出し、通信制御部５１０に出力する。
【００６５】
割り当て制御信号抽出部５０５は、復調・復号部５０３から出力された受信信号のうち、中継局３００を介して基地局１００から送信された、部分割り当て制御信号又はダイナミック割り当て制御信号を抽出する。割り当て制御信号抽出部５０５は、抽出した無線リソース割り当て制御信号を通信制御部５１０に出力する。
【００６６】
制御信号送信タイミング情報抽出部５０６は、中継局３００を介して基地局１００から送信された同期情報や報知情報の送信タイミング情報を抽出する。制御信号送信タイミング情報抽出部５０６は、送信タイミング情報を通信制御部５１０に出力する。制御信号送信タイミング情報は、例えば、基地局１００の通信制御信号作成部１１５，１１６で作成される。
【００６７】
無線回線品質測定部５０７は、復調・復号部５０３から出力された受信信号のうち、中継局３００から送信されたパイロット信号を抽出し、当該パイロット信号に基づいて、中継局３００と端末５００との間の下り方向の無線回線品質を測定する。
【００６８】
無線回線品質情報作成部５０８は、無線回線品質測定部５０７から出力された無線回線品質に基づいて、リレー端末間下り品質情報を作成し、符号化・変調部５１２に出力する。
【００６９】
通信制御部５１０は、通信制御部５１０は、例えば、リレー端末間通信制御信号に基づいて、中継局３００から送信されたデータを復調等できるように復調・復号部５０３等を制御する。また、通信制御部５１０は、割り当て制御信号に含まれる無線リソースを利用して、データを送信又は受信するように、下り受信無線部５０２又は上り送信無線部５１３等を制御する。さらに、通信制御部５１０は、制御信号送信タイミング情報に従って通信制御信号やデータ等を送信又は受信できるように各無線部５０２，５１３等を制御できる。
【００７０】
上りパイロット信号作成部５１１は、中継局３００との間の上り方向におけるパイロット信号を作成し、符号化・変調部５１２等を介して中継局３００に送信する。
【００７１】
符号化・変調部５１２は、通信制御部５１０の制御により、送信データ等を符号化及び変調する。
【００７２】
上り送信無線部５１３は、通信制御部５１０の制御により、符号化・変調部５１２から出力された送信データ等を無線信号として出力する。当該無線信号はアンテナ５０１を介して中継局３００に送信される。
【００７３】
次に第１の実施例における動作を説明する。図５は動作例を示すシーケンス図である。図５に示す例は、無線リソースの割り当て方法が、部分無線リソース割り当てからダイナミック無線リソース割り当てに変更される例である。
【００７４】
まず、基地局１００と中継局３００、及び端末５００は無線回線品質測定及び報告シーケンス１を実行する（Ｓ１０）。図６は、無線回線品質測定及び報告シーケンス１の例を示すシーケンス図である。
【００７５】
基地局１００は中継局３００に下りパイロット信号を送信する（Ｓ１００）。例えば、基地局リレー間通信制御信号作成部１１５が下りパイロット信号を作成する。
【００７６】
次いで、中継局３００は、下りパイロット信号に基づいて、基地局１００との間の下り無線回線品質を測定及び算出する（Ｓ１０１）。例えば、下り無線回線品質測定部３１８が当該無線回線品質を測定及び算出する。
【００７７】
次いで、中継局３００は、端末５００に下りパイロット信号を送信する（Ｓ１０１）。例えば、リレー端末間通信制御信号作成部３１５が当該下りパイロット信号を作成する。
【００７８】
次いで、端末５００は下りパイロット信号に基づいて下り無線回線品質を測定及び算出する（Ｓ１０３）。例えば、無線回線品質測定部５０７が中継局３００との間の下り無線回線品質を測定及び算出する。
【００７９】
次いで、端末５００は、リレー端末間下り品質情報を中継局３００に送信する（Ｓ１０４）。例えば、無線回線品質情報作成部５０８がリレー端末間下り品質情報を作成する。
【００８０】
次いで、端末５００は上りパイロット信号を中継局３００に送信する（Ｓ１０５）。例えば、上りパイロット信号作成部５１１が当該パイロット信号を作成し送信する。
【００８１】
次いで、中継局３００は、端末５００から送信された上りパイロット信号に基づいて、端末５００との間の上り無線回線品質を測定及び算出する（Ｓ１０６）。例えば、上り品質算出部３０８が当該上り無線回線品質を測定等する。
【００８２】
次いで、中継局３００は、端末５００から送信されたリレー端末間下り品質情報を基地局１００に送信する（Ｓ１０７）。例えば、中継局３００は、リレー端末間下り品質情報をアンテナ３０１で受信し、上り受信無線部３０２、復調・復号部３０３等を介して基地局１００に送信する。リレー端末間下り品質抽出部３０７は、リレー端末間下り品質情報を抽出してもよい。
【００８３】
次いで、中継局３００は、算出したリレー端末間上り品質情報（Ｓ１０６）を基地局１００に送信する（Ｓ１０８）。例えば、上り品質情報作成部３０９が当該情報を作成し、基地局１００に送信する。
【００８４】
次いで、中継局３００は、算出した基地局リレー間下り品質情報（Ｓ１０１）を基地局１００に送信する（Ｓ１０９）。例えば、下り無線回線品質情報作成部３１９が当該情報を作成し、基地局１００に送信する。
【００８５】
次いで、中継局３００は上りパイロット信号を基地局１００に送信する（Ｓ１１０）。例えば、上り無線回線品質情報作成部３０９が上りパイロット信号を作成し、基地局１００に送信する。
【００８６】
次いで、基地局１００は、上りパイロット（Ｓ１１０）に基づいて、基地局１００と中継局３００との間の上り無線回線品質を測定及び算出する（Ｓ１１１）。例えば、基地局リレー間上り品質算出部１０６が当該上り無線回線品質を測定等する。
【００８７】
次いで、基地局１００はスケジューリングを行う（Ｓ１１）。例えば、スケジューラ１１０は、各品質情報（Ｓ１０７〜Ｓ１０９，Ｓ１１１）に基づいて各無線回線のスケジューリングを行う。
【００８８】
次いで、基地局１００は無線リソースの割り当てを行う（Ｓ１２）。例えば、部分割り当て制御部１１３がスケジューラ１１０からの指示に基づいて部分無線リソース割り当てによる無線リソースの割り当てを行う。
【００８９】
図１０（Ａ）及び同図（Ｂ）は部分無線リソース割り当てによる無線リソース割り当て例を示す図である。図１０（Ａ）に示す割り当て例は、横軸が時間軸方向、縦軸が周波数軸方向である。同図（Ａ）等に示すように、無線フレームは、基地局１００と中継局３００との間の無線リソースと、中継局３００と端末５００との間の無線リソースとが予め決められた領域に分割される。部分割り当て制御部１１３は、各領域内で中継局３００及び端末５００に対して各々無線リソースの割り当てを行う。なお、同図（Ａ）に示す例は基地局１００が中継局３００を介さずに直接無線通信を行う端末５００に対しても無線リソースが割り当てられている例である。また、同図（Ａ）に示す例は、上り方向と下り方向の双方の無線リソースが含まれてもよいし、同図（Ａ）等の例は上り方向用、同図（Ａ）等を同様に下り方向用と別々の無線リソースが割り当てられてもよい。
【００９０】
次いで、基地局１００は通信制御信号（基地局リレー間通信制御信号とリレー端末間通信制御信号とを含む）と、部分割り当て制御信号を中継局３００に送信する（Ｓ１３）。例えば、部分割り当て制御信号作成部１１４は部分割り当て制御信号を作成し、基地局リレー間通信制御信号作成部１１５とリレー端末間通信制御信号作成部１１６は各々通信制御信号を作成し、基地局１００に送信する。
【００９１】
次いで、中継局３００は、基地局１００と中継局３００間の無線通信に関する送受信処理を行う（Ｓ１４）。例えば、部分割り当て制御部３１４は、部分割り当て制御信号に含まれる無線リソース割り当て（例えば、図１０（Ａ）及び同図（Ｂ））を使用してデータを送信又は受信できるように、上り送信無線部３０５又は下り受信無線部３２０等を制御する。また、通信制御信号抽出部３１７は、基地局リレー間通信制御信号を抽出し、スケジューラ３１０に出力する。スケジューラ３１０は、当該制御信号に基づいて、基地局１００から送信されたデータを復調等、または基地局１００に送信するデータを符号化等できるように、符号化・変調部３０４、復調・復号部３２１等を制御する。
【００９２】
次いで、リレー端末間通信制御信号と部分割り当て制御信号とを端末５００に送信する（Ｓ１５）。例えば、リレー端末間通信制御信号作成部３１５がリレー端末間通信制御信号を作成する。また、部分リソース割り当て制御信号は復調・復号部３２１から符号化・変調部３２２等を介して端末５００に送信される。
【００９３】
次いで、基地局１００と中継局３００はデータを送受信する（Ｓ１６）。
【００９４】
次いで、中継局３００は、中継局３００と端末５００間の無線通信における送受信処理を行う（Ｓ１７）。例えば、部分割り当て制御部３１４は、部分割り当て制御信号に含まれる無線リソースを使用して、端末５００との間でデータ等を送信又は受信できるよう、下り送信無線部３２３、上り受信無線部３０２等を制御する。また、スケジューラ３１０は、通信制御信号抽出部３１７で抽出されたリレー端末間通信制御信号に基づいて、符号化等が行われるように、符号化・変調部３２２等を制御する。
【００９５】
次いで、中継局３００と端末５００はデータを送受信する（Ｓ１８）。
【００９６】
次いで、基地局１００は動作モード変更処理１を行う（Ｓ１９）。図７は動作モード変更処理１の動作例を示すフローチャートである。
【００９７】
基地局１００は、処理を開始すると（Ｓ１９０）、未使用無線リソース量の閾値Ｒｔｈ１を設定する（Ｓ１９１）。例えば、切替え制御部１２０が当該閾値Ｒｔｈ１を設定する。
【００９８】
次いで、基地局１００は、リレー端末間未使用無線リソース量Ｒｎｏｔｕｓｅｄを算出する（Ｓ１９２）。例えば、部分割り当て制御部１１３は割り当てた無線リソースに関する情報を切替え制御部１２０に出力する。切替え制御部１１３は、当該情報から中継局３００と端末５００間の未使用の無線リソースの量を算出する。例えば、図１０（Ｂ）等の例では、切替え制御部１１３は、全体の無線リソースに占める「Ｅｅｍｐｔｙ」の割合を算出する。
【００９９】
次いで、基地局１００は、未使用無線リソース量Ｒｎｏｔｕｓｅｄが閾値Ｒｔｈ１より大きいか否かを判断する（Ｓ１９３）。例えば、切替え制御部１２０が判断する。
【０１００】
基地局１００は、未使用無線リソース量Ｒｎｏｔｕｓｅｄが閾値Ｒｔｈ１より大きいとき（Ｓ１９３でＹｅｓ）、中継局３００のデータバッファの残量を確認する（Ｓ１９４）。例えば、切替え制御部１２０は、部分割り当て制御部１１３からの割り当て情報に基づき、全体に占める中継局３００に割り当てられた無線リソース量の割合を算出し、当該割合に応じたデータ量を演算して、バッファ残量を求める。
【０１０１】
次いで、基地局１００は動作モードを部分無線リソース割り当てからダイナミック無線リソース割り当てへの変更を示す動作モード変更通知を送信する（Ｓ１９５）。例えば、切替え制御部１２０は、切替え制御信号作成部１２１に変更通知の作成を指示し、切替え制御信号作成部１２１は変更通知を含む切替え制御信号を作成し、中継局３００に送信する。中継局３００は、受信した切替え制御信号を端末５００に送信してもよい。
【０１０２】
次いで、基地局１００は、ダイナミック無線リソース割り当てへの変更タイミングを計算し、中継局３００に通知する（Ｓ１９６）。例えば、切替え制御部１２０は、中継局３００のバッファ残量（Ｓ１９４）から、中継局３００が保持するデータがバッファからなくなるまでの時間を算出し、当該時間を変更タイミングとして通知する。変更タイミングは、切替え制御部１２０から切替え制御信号作成部１２１への指示により、例えば切替え制御信号に含まれてもよい。
【０１０３】
次いで、基地局１００と中継局３００は動作モードの変更を行う（Ｓ１９７）。例えば、基地局１００の切替え制御部１２０は、変更タイミング（Ｓ１９６）になると、ダイナミック無線リソース割り当てへ変更し、部分割り当て制御部１１３の電源をオフにし、ダイナミック割り当て制御部１１１の電源をオンにする。また、中継局３００の切替え制御信号抽出部３１６は、変更タイミングになると、部分割り当て制御部３１４の電源をオフにし、ダイナミック割り当て制御部３１２の電源をオンにする。
【０１０４】
そして、一連の処理を終了する（Ｓ１９８）。
【０１０５】
一方、基地局１００は、リレー端末間未使用無線リソース量Ｒｎｏｔｕｓｅｄが閾値Ｒｔｈ１以下のとき（Ｓ１９３でＮｏ）、再度Ｓ１９２の処理を行う。
【０１０６】
動作モード変更後、基地局１００と中継局３００、及び端末５００は無線回線品質測定及び報告シーケンス１を実行する（図５のＳ２０）。
【０１０７】
次いで、基地局１００は、無線回線品質等に基づいてスケジューリングを行い（Ｓ２１）、ダイナミック無線リソース割り当てを行う（Ｓ２２）。例えば、ダイナミック割り当て制御部１１１は、基地局１００と中継局３００、中継局３００と端末５００等の間の各無線リソースを、予め分割された領域内で割り当てることなくダイナミックに割り当てる。図１１はダイナミック無線リソース割り当てによる割り当て例を示す図である。同図に示すように、基地局１００と中継局３００間の無線通信で使用される無線リソース等はランダムな領域に割り当てられている。
【０１０８】
次いで、基地局１００は、スケジューリング（Ｓ２１）に基づく通信制御信号と、ダイナミック無線リソース割り当てによる割り当て制御信号とを中継局３００に送信する（Ｓ２３）。例えば、ダイナミック割り当て制御信号作成部１１２は、ダイナミック割り当て制御部１１１から出力された無線リソース割り当てに関する情報に基づいて、ダイナミック割り当て制御信号を作成し、中継局３００に送信する。
【０１０９】
次いで、中継局３００は、ダイナミック割り当て制御信号と、リレー端末間通信制御信号とを端末５００に送信する（Ｓ２４）。例えば、ダイナミック割り当て制御信号は、復調・復号部３２１から符号化・変調部３２２に出力されて、端末５００に送信される。また、リレー端末間通信制御信号は、スケジューラ３１０によるスケジューリング（Ｓ２１）により、リレー端末間通信制御信号作成部３１５から端末５００に送信される。
【０１１０】
次いで、基地局１００と中継局３００は、基地局リレー間通信制御信号とダイナミック割り当て制御信号に基づいて、データを送受信する（Ｓ２５）。
【０１１１】
次いで、中継局３００と端末５００は、リレー端末間通信制御信号とダイナミック割り当て制御信号に基づいて、データを送受信する（Ｓ２６）。
【０１１２】
このように、本第１の実施例において、基地局１００は、中継局３００と端末５００間で割り当てられた無線リソースのうち未使用の無線リソースが閾値より多いとき（Ｓ１９３でＹｅｓ）、使用されない無線リソースにより、無線リソースが有効活用されていないと判断する。そして、基地局１００は部分無線リソース割り当て（例えば、図１０（Ａ）等）からダイナミック無線リソース割り当て（例えば、図１１）に割り当て方法を変更する。これにより、例えば図１１に示すように、使用されない無線リソースが減少し、他の無線通信の無線リソースに割り当てることが可能となり、無線リソースが有効活用される。
【０１１３】
図８は、動作モードがダイナミック無線リソース割り当てから部分無線リソース割り当てに変更する場合のシーケンス例を示す図である。
【０１１４】
まず、基地局１００と中継局３００、及び端末５００は、図５の例と同様に無線回線品質測定及び報告シーケンス１を実行する（Ｓ１０）。
【０１１５】
次いで、基地局１００は、測定された無線回線品質に基づいてスケジューリングを行い（Ｓ１１）、ダイナミック無線リソース割り当てによる無線リソースの割り当てを行う（Ｓ３１）。例えば、ダイナミック割り当て制御部１１１が図１１に示すような無線リソースの割り当てを行う。
【０１１６】
次いで、基地局１００は、通信制御信号（基地局リレー間通信制御信号とリレー端末間通信制御信号を含む）と、ダイナミック割り当て制御信号とを中継局３００に送信する（Ｓ３２）。
【０１１７】
次いで、中継局３００は、基地局１００と中継局３００との間の無線通信に関する送受信処理を行う（Ｓ３３）。例えば、ダイナミック割り当て制御部３１２は、割り当て制御信号に含まれる無線リソースを使用して、基地局１００との間でデータを送信又は受信できるよう、上り送信無線部３０５又は下り受信無線部３２０等を制御する。
【０１１８】
次いで、中継局３００はリレー端末間通信制御信号とダイナミック割り当て制御信号とを端末５００に送信する（Ｓ３４）。例えば、ダイナミック割り当て制御信号は、復調・復号部３２１から符号化・変調部３２２等を介して端末５００に送信される。
【０１１９】
次いで、基地局１００と中継局３００はデータを送信又は受信する（Ｓ３５）。
【０１２０】
次いで、中継局３００は、端末５００との間の無線通信に関する送受信処理を行う（Ｓ３６）。例えば、ダイナミック割り当て制御部３１２は、割り当て制御信号に含まれる無線リソースを使用して、端末５００との間でデータを送信又は受信できるよう、下り送信無線部３２３又は上り受信無線部３０２等を制御する。
【０１２１】
次いで、中継局３００と端末５００はデータを送信又は受信する（Ｓ３７）。
【０１２２】
次いで、基地局１００は動作モード変更処理２を実行する（Ｓ３９）。図９は動作モード変更処理２の動作例を示すフローチャートである。
【０１２３】
基地局１００は、処理を開始すると（Ｓ３９０）、使用無線リソース量閾値Ｒｔｈ２を設定する（Ｓ３９１）。例えば、切替え制御部１２０が閾値Ｒｔｈ２を設定する。
【０１２４】
次いで、基地局１００は、リレー端末間使用無線リソース量Ｒｕｓｅｄを算出する（Ｓ３９２）。例えば、切替え制御部１２０は、ダイナミック割り当て制御部１１１からダイナミック無線リソース割り当てに関する情報（例えば、図１１）を入力し、全体の無線リソースに占める、リレー端末間に割り当てられた無線リソースの割合を算出する。
【０１２５】
次いで、基地局１００は、使用無線リソース量Ｒｕｓｅｄが閾値Ｒｔｈ２より大きいか否かを判断する（Ｓ３９３）。例えば、切替え制御部１２０が判断する。
【０１２６】
そして、基地局１００は、使用無線リソース量Ｒｕｓｅｄが閾値Ｒｔｈ２より大きいとき（Ｓ３９３でＹｅｓ）、中継局３００のバッファ残量を確認する（Ｓ１９４）。
【０１２７】
以降は、図７の例と同様に、基地局１００は動作モード変更通知を送信し、バッファ残量に基づいて変更タイミングを通知し、当該タイミングで動作モードを変更する（Ｓ１９５〜Ｓ１９７）。この場合の動作モードは、ダイナミック無線リソース割り当てから部分無線リソース割り当てに変更される。
【０１２８】
そして、基地局１００は動作モード変更処理２を終了する（Ｓ３９２）。一方、基地局１００は、使用無線リソース量Ｒｕｓｅｄが閾値Ｒｔｈ２以下のとき（Ｓ３９３でＮｏ）、再びＳ３９２の処理を行う。
【０１２９】
動作モードが変更後、基地局１００等は無線回線品質測定及び報告シーケンス１を実行し（Ｓ２０）、基地局１００はスケジューリング（Ｓ２１）を行う。以降、基地局１００は、図５のＳ１２〜Ｓ１８と同様に、部分無線リソース割り当てによる無線リソースの割り当てを行い（Ｓ４１）、通信制御信号と部分割り当て制御信号を送信し（Ｓ４２，Ｓ４３）、データを送受信する（Ｓ４４，Ｓ４５）。
【０１３０】
このように、本第１の実施例において、リレー端末間無線リソースが閾値より大きいとき（Ｓ３９３でＹｅｓ）、中継局３００と端末５００との間の無線リソースが他の無線リソースと比較して多いことが考えられる。このような場合、基地局１００はダイナミック無線リソース割り当てから部分無線リソース割り当てに変更することで、予め決められた領域に、中継局３００と端末５００で使用される無線リソースが敷き詰められ、無線リソースの有効活用を図ることができる。
【０１３１】
＜第２の実施例＞
次に第２の実施例について説明する。第２の実施例は端末数に応じて動作モードを変更する例である。基地局１００と中継局３００、及び端末５００の構成例は第１の実施例と同様である（図２〜図４）。
【０１３２】
図１２は動作例を示すシーケンス図である。Ｓ１０〜Ｓ１８は第１の実施例と同様である。そして、基地局１００は動作モード変更処理３を実行する（Ｓ５０）。図１３は動作モード変更処理３の動作例を示すフローチャートである。
【０１３３】
基地局１００は、本処理を開始すると（Ｓ５００）、端末数閾値Ｍｔｈを設定する（Ｓ５０１）。例えば、切替え制御部１２０が当該閾値Ｍｔｈを設定する。
【０１３４】
次いで、基地局１００は、中継局３００と接続する端末数Ｍを算出する（Ｓ５０２）。例えば、切替え制御部１２０は、基地局１００に送信（又は報告）されたリレー端末間無線品質情報（例えば、ＣＱＩ）の数を求めることで端末数Ｍを算出する。例えば、スケジューラ１１０はリレー端末間下り品質抽出部１０５からリレー端末間下り品質情報を入力するので、当該情報の入力数を切替え制御部１２０に出力することで、切替え制御部１２０は端末数Ｍを算出する。或いは、スケジューラ１１０はリレー端末間上り品質情報の入力数を切替え制御部１２０に出力してもよい。さらに、スケジューラ１１０はある一定期間のリレー端末間下り（又は上り）品質情報の数の平均値を切替え制御部１２０に出力するようにしてもよい。
【０１３５】
次いで、基地局１００は、端末数Ｍが閾値Ｍｔｈより少ないか否かを判断する（Ｓ５０３）。例えば、切替え制御部１２０が判断する。尚、閾値Ｍｔｈは、未使用無線リソース量閾値Ｒｔｈ１（Ｓ１９１）又は使用無線リソース量Ｒｔｈ２（Ｓ３９１）と同じ値でもよいし、異なる値でもよい。
【０１３６】
基地局１００は、端末数Ｍが閾値Ｍｔｈより少ないとき（Ｓ５０３でＹｅｓ）、部分無線リソース割り当てからダイナミック無線リソース割り当てへの変更処理（Ｓ１９４〜Ｓ１９７）を行う。そして、基地局１００は動作モード変更処理３の処理を終了する（Ｓ５０４）。一方、基地局１００は端末数Ｍが閾値以上のとき（Ｓ５０３でＮｏ）、Ｓ５０２の処理を再び実行する。以降は、第１の実施例と同様である。
【０１３７】
図１４は動作モードがダイナミック無線リソース割り当てから部分無線リソース割り当てに変更する場合のシーケンス例を示す図である。この場合、基地局１００は動作モード変更処理４を実行する（Ｓ５１）。
【０１３８】
図１５は動作モード変更処理４の動作例を示すフローチャートである。この場合、基地局１００は、中継局３００に接続する端末５００の端末数Ｍが閾値Ｍｔｈ以上のとき（Ｓ５１１でＹｅｓ）、ダイナミック無線リソース割り当てから部分リソース割り当てに変更する（Ｓ１９４〜Ｓ１９７）。
【０１３９】
その後、第１の実施例と同様に、基地局１００等は無線回線品質測定及び報告シーケンス１等の処理を行う（Ｓ２０〜Ｓ２６）。
【０１４０】
本第２の実施例は、動作モード変更処理の際に第１の実施例の無線リソース量を端末数に変更しただけであり、従って第１の実施例と同様に無線リソースの有効活用を図ることができる。
【０１４１】
＜第３の実施例＞
次に第３の実施例について説明する。第３の実施例は、Ｄｉｓｔｒｉｂｕｔｅｄスケジューリングかつ部分無線リソース割り当てから、Ｃｅｎｔｒａｌｉｚｅｄスケジューリングかつダイナミック無線リソース割り当てに変更する（又はその逆）例である。無線リソースの割り当て方法の変更に伴い、スケジューリング方法もＤｉｓｔｒｉｂｕｔｒｅｄスケジューリングからＣｅｎｔｒａｌｉｚｅｄスケジューリング（又はその逆）に変更する例である。
【０１４２】
図１６は基地局１００の構成例を示す図である。基地局１００は、さらに、リレー端末間無線回線品質情報抽出部（以下、「リレー端末間品質抽出部」）１２５と、スケジューリング方法変更要求信号抽出部（以下、「変更要求信号抽出部」）１２６と、Ｃｅｎｔｒａｌｉｚｅｄ／Ｄｉｓｔｒｉｂｕｔｅｄ切替え制御部（以下、「切替え制御部」）１２７と、Ｃｅｎｔｒａｌｉｚｅｄ／Ｄｉｓｔｒｉｂｕｔｅｄ切替え制御信号作成部（以下、「切替え制御信号作成部」）１２８と、基地局リレー間リソース割り当て制御部（以下、「基地局リレー間割り当て制御部」）１３０と、基地局リレー間無線リソース割り当て制御信号作成部（以下、「基地局リレー間割り当て制御信号作成部」）１３１と、リレー端末間無線リソース割り当て制御部（以下、「リレー端末間割り当て制御部」）１３２と、リレー端末間無線リソース割り当て制御信号作成部（以下、「リレー端末間割り当て制御信号作成部」）１３３とを備える。
【０１４３】
リレー端末間品質抽出部１２５は、端末５００で測定されたリレー端末間下り品質情報、又は中継局３００で測定されたリレー端末間上り品質情報を抽出する。リレー端末間品質抽出部１２５は、抽出した各無線品質情報をスケジューラ１１０に出力する。
【０１４４】
変更要求信号抽出部１２６は、中継局３００から送信されたスケジューリング方法変更要求信号（又は動作モード変更要求信号、以下、「変更要求信号」）を抽出し、切替え制御部１２７に出力する。
【０１４５】
切替え制御部１２７は、変更要求信号に従って、スケジューリング方法（又は動作モード）を、Ｄｉｓｔｒｉｂｕｔｅｄスケジューリングかつ部分無線リソース割り当て、からＣｅｎｔｒａｌｉｚｅｄスケジューリングかつダイナミック無線リソース割り当て（又はその逆）に変更する。例えば、切替え制御部１２７は、Ｄｉｓｔｒｉｂｕｔｅｄスケジューリングに切替えたとき、リレー端末間割り当て制御部１３２とリレー端末間割り当て制御信号抽出部１３３の電源をオフにする。また、切替え制御部１２７は、Ｃｅｎｔｒａｌｉｚｅｄスケジューリングに切替えたとき、これらの電源をオンにする。
【０１４６】
切替え制御信号作成部１２８は、スケジューリング方法を切替えたとき、切替え先のスケジューリング方法を示す切替え制御信号を作成する。切替え制御信号作成部１２８は、切替え制御信号を符号化・変調部１２２に出力する。
【０１４７】
基地局リレー間割り当て制御部１３０は、基地局１００と中継局３００の間の無線通信で使用する無線リソースの割り当てを行う。無線リソースの割り当ては、部分無線リソース割り当てとダイナミック無線リソース割り当てがある。
【０１４８】
基地局リレー間割り当て制御信号作成部１３１は、基地局リレー間割り当て制御部１３０で割り当てた無線リソースに基づいて、基地局リレー間割り当て制御信号を作成する。基地局リレー間割り当て制御信号作成部１３１は、基地局リレー間割り当て制御信号を符号化・変調部１２２に出力する。
【０１４９】
リレー端末間割り当て制御部１３２は、中継局３００と端末５００間の無線通信で使用する無線リソースの割り当てを行う。無線リソースの割り当ては、部分無線リソース割り当てとダイナミック無線リソース割り当てがある。
【０１５０】
リレー端末間割り当て制御信号作成部１３３は、リレー端末間割り当て制御部１３２で割り当てた無線リソースに基づいて、リレー端末間割り当て制御信号を作成する。リレー端末間割り当て制御信号作成部１３３は、リレー端末間割り当て制御信号を符号化・変調部１２２に出力する。
【０１５１】
図１７は中継局３００の構成例を示す図である。中継局３００は、さらに、基地局リレー間下り無線回線品質測定算出部（以下、「基地局リレー間下り品質算出部」）３３０と、基地局リレー間下り無線回線品質情報作成部（以下、「基地局リレー間下り品質情報作成部」）３３１と、リレー端末間上り無線回線品質測定算出部（以下、「リレー端末間上り品質算出部」）３３２と、リレー端末間上り無線回線品質情報作成部（以下、「リレー端末間上り品質情報作成部」）３３３と、Ｃｅｎｔｒａｌｉｚｅｄ／Ｄｉｓｔｒｉｂｕｔｅｄ切替え制御部（以下、「切替え制御部」）３３５と、Ｃｅｎｔｒａｌｉｚｅｄ／Ｄｉｓｔｒｉｂｕｔｅｄ切替え制御信号抽出／作成部（以下、「切替え制御信号抽出／作成部」）３３６と、制御信号作成部３３７と、基地局リレー間通信制御信号抽出部（以下、「基地局リレー間通信制御信号抽出部」）３３８と、基地局リレー間無線リソース割り当て制御信号抽出部（以下、「基地局リレー間割り当て制御信号抽出部」）３４０と、基地局リレー間無線リソース割り当て制御部（以下、「基地局リレー間割り当て制御部」）３４１と、リレー端末間無線リソース割り当て制御信号抽出／作成部（以下、「リレー端末間割り当て制御信号抽出／作成部」）３４２と、リレー端末間無線リソース割り当て制御部（以下、「リレー端末間割り当て制御部」）３４３と、無線リソース管理部３４４とを備える。
【０１５２】
基地局リレー間下り品質算出部３３０は、基地局１００から送信された下りパイロット信号に基づいて、基地局１００と中継局３００間の下り方向における無線回線品質を測定及び算出する。
【０１５３】
基地局リレー間下り品質情報作成部３３１は、基地局リレー間下り品質算出部３３０で算出された無線回線品質から基地局リレー間下り品質情報を作成する。基地局リレー間下り品質情報作成部３３１は、作成した基地局リレー間下り品質情報を符号化・変調部３０４に出力する。
【０１５４】
リレー端末間上り品質算出部３３２は、端末５００から送信された上りパイロット信号に基づいて、中継局３００と端末５００間の上り方向における無線回線品質を測定及び算出する。
【０１５５】
リレー端末間上り品質情報作成部３３３は、リレー端末間上り品質算出部３３２で算出された無線回線品質からリレー端末間上り品質情報を作成する。リレー端末間上り品質情報作成部３３３は、リレー端末間上り品質情報を符号化・変調部３０４に出力する。
【０１５６】
切替え制御部３３５は、スケジューリング方法の切替え等を行う。また、切替え制御部３３５は、スケジューリング方法の変更要求を作成するか否かを判断も行い、当該変更要求を作成する場合、制御信号作成部３３７に当該変更要求を示す制御信号の作成を指示する。また、切替え制御部３３５は、中継局３００に保持したデータのバッファ残量を制御信号作成部３３７に出力することで、当該バッファ残量を変更要求信号に含めて基地局１００に通知する。
【０１５７】
切替え制御信号抽出／作成部３３６は、基地局１００から送信された、スケジューリング方法の変更通知を示す切替え制御信号を抽出し、切替え制御部３３５に出力する。また、切替え制御信号抽出／作成部３３６は、切替え制御部３３５からの指示により切替え制御信号を作成し符号化・変調部３２２に出力する。
【０１５８】
基地局リレー間通信制御信号抽出部３３８は、基地局１００から送信された、基地局リレー間通信制御信号を抽出し、スケジューラ３１０に出力する。
【０１５９】
基地局リレー間割り当て制御信号抽出部３４０は、基地局１００から送信された基地局リレー間割り当て制御信号を抽出し、基地局リレー間割り当て制御部３４１に出力する。
【０１６０】
基地局リレー間割り当て制御部３４１は、基地局リレー間割り当て制御信号に含まれる無線リソースを使用して、基地局１００との間でデータを送信又は受信できるように、上り送信無線部３０５又は下り受信無線部３２０等を制御する。
【０１６１】
リレー端末間割り当て制御信号抽出／作成部３４２は、基地局１００から送信されたリレー端末間割り当て制御信号を抽出し、リレー端末間割り当て制御部３４３に当該信号を出力する。また、リレー端末間割り当て制御信号抽出／作成部３４２は、リレー端末間割り当て制御部３４３の指示によりリレー端末間割り当て制御信号を作成し、符号化・変調部３２２に出力する。
【０１６２】
リレー端末間割り当て制御部３４３は、リレー端末間割り当て制御信号に含まれる無線リソースを使用して端末５００との間でデータを送信又は受信できるように、下り送信無線部３２３又は上り受信無線部３０２等を制御する。また、リレー端末間割り当て制御部３４３は、切替え制御部３３５からの制御によりＣｅｎｔｒａｌｉｚｅｄスケジューリングからＤｉｓｔｒｉｂｕｔｅｄスケジューリングに切替えられたとき、配下の端末５００に対して無線リソースの割り当てを行う。この場合、リレー端末間割り当て制御部３４３は、割り当てた無線リソースに関する情報をリレー端末間割り当て制御信号抽出／作成部３４２に出力し、リレー端末間割り当て制御信号の作成と端末５００への送信を指示する。
【０１６３】
無線リソース管理部３４４は、中継局３００と端末５００との無線通信で使用される無線リソースを管理する。詳細は後述する。
【０１６４】
端末５００の構成例は第１の実施例と同様である（例えば、図４）。
【０１６５】
次に第３の実施例における動作を説明する。図１８及び図１９は動作例を示すシーケンス図である。図１８等に示す例は、Ｄｉｓｔｒｉｂｕｔｅｄスケジューリング（かつ部分無線リソース割り当て）からＣｅｎｔｒａｌｉｚｅｄスケジューリング（かつダイナミック無線リソース割り当て）に変更する例を示す。
【０１６６】
まず、基地局１００と中継局３００、及び端末５００は無線回線品質測定及び報告シーケンス２を実行する（Ｓ６０）。図２０は、無線回線品質測定及び報告シーケンス２の例を示すシーケンス図である。
【０１６７】
中継局３００は、下りパイロット信号を端末５００に送信する（Ｓ６０１）。例えば、リレー端末間通信制御信号作成部３１５が当該下りパイロット信号を作成する。
【０１６８】
次いで、端末５００は、中継局３００との間の下り方向における下り無線回線品質を測定及び算出する（Ｓ６０２）。例えば、無線回線品質測定部５０７が下りパイロット信号に基づいて無線回線品質を測定及び算出する。
【０１６９】
次いで、端末５００は、リレー端末間下り品質情報を中継局３００に送信する（Ｓ６０３）。例えば、無線回線品質情報作成部５０８が、無線回線品質測定部５０７で測定等された無線回線品質に基づいてリレー端末間下り品質情報を作成し、送信する。
【０１７０】
次いで、端末５００は上りパイロット信号を中継局３００に送信する（Ｓ６０４）。たとえば、上りパイロット信号作成部５１１が上りパイロット信号を作成し送信する。
【０１７１】
次いで、中継局３００は、上りパイロット信号に基づいて、中継局３００と端末５００間の上り方向における無線回線品質を測定及び算出する（Ｓ６０５）。例えば、リレー端末間上り品質算出部３３２が測定及び算出する。
【０１７２】
次いで、基地局１００は下りパイロット信号を中継局３００に送信する（Ｓ６０６）。例えば、基地局リレー間通信制御信号作成部１１５が下りパイロット信号を作成し送信する。
【０１７３】
次いで、中継局３００は、基地局１００からの下りパイロット信号に基づいて、基地局１００と中継局３００間の下り方向における無線回線の品質を測定及び算出する（Ｓ６０７）。例えば、基地局リレー間下り品質算出部３３０が無線回線品質を測定及び算出する。
【０１７４】
次いで、中継局３００は、基地局リレー間下り品質情報を基地局１００に送信する（Ｓ６０８）。例えば、基地局リレー間下り品質情報作成部３３１が当該品質情報を作成し送信する。
【０１７５】
次いで、中継局３００は、上りパイロット信号を基地局１００に送信する（Ｓ６０９）。例えば、制御信号作成部３３７が上りパイロット信号を作成し送信する。
【０１７６】
次いで、基地局１００は、上りパイロット信号に基づいて、基地局１００と中継局３００間の上り方向における無線回線品質を測定及び算出する（Ｓ６１０）。例えば、基地局リレー間上り品質算出部１０６が測定及び算出する。
【０１７７】
次いで、基地局１００と中継局３００は、各無線回線品質に基づいて、Ｄｉｓｔｒｉｂｕｔｅｄスケジューリングを行う（図１８のＳ６１，Ｓ６２）。基地局１００は、中継局３００と、配下の端末に対するスケジューリングを行う。また、中継局３００は、配下の端末５００に対するスケジューリングを行う。スケジューリングは、スケジューラ１１０，３１０で行われる。
【０１７８】
次いで、基地局１００と中継局３００は、無線リソースの割り当てを行う（Ｓ６２，Ｓ６３）。基地局１００と中継局３００は、部分無線リソース割り当てによる無線リソースの割り当てを行う。例えば、基地局リレー間割り当て制御部１３０とリレー端末間割り当て制御部３４３が各々無線リソースの割り当てを行う。
【０１７９】
次いで、基地局１００は、基地局リレー間通信制御信号と基地局リレー間割り当て制御信号とを、中継局３００に送信する（Ｓ６５）。例えば、基地局リレー間通信制御信号作成部１１５が基地局リレー間通信制御信号を作成及び送信し、基地局リレー間割り当て制御信号作成部１３１が基地局リレー間割り当て制御信号を作成及び送信する。
【０１８０】
次いで、基地局１００と中継局３００はデータを送受信する（Ｓ６６）。
【０１８１】
次いで、中継局３００は、リレー端末間通信制御信号とリレー端末間割り当て制御信号とを端末５００に送信する（Ｓ６７）。例えば、リレー端末間通信制御信号作成部３１５がリレー端末間通信制御信号を作成及び送信し、リレー端末間割り当て制御信号抽出／作成部３４２がリレー端末間割り当て制御信号を作成及び送信する。
【０１８２】
次いで、中継局３００と端末５００はデータを送受信する（Ｓ６８）。
【０１８３】
次いで、中継局３００は動作モード変更処理５を行う（Ｓ６９）。図２１は動作モード変更処理の例を示すフローチャートである。
【０１８４】
中継局３００は、処理を開始すると（Ｓ６９０）、未使用無線リソース量閾値Ｒｔｈ１を設定し（Ｓ１９１）、リレー端末間未使用無線リソース量Ｒｎｏｔｕｓｅｄを算出し（Ｓ１９２）、未使用無線リソース量Ｒｎｏｔｕｓｅｄが閾値Ｒｔｈ１より大きいか否かを判断する（Ｓ１９３）。例えば、無線リソース管理部３４４が、リレー端末間割り当て制御部３４３において割り当てられた無線リソースの全体の無線リソースに対する割合を算出し、算出量を切替え制御部３３５に出力する。切替え制御部３３５が設定した閾値Ｒｔｈ１と算出量とを比較することで実施できる。
【０１８５】
中継局３００は、未使用無線リソース量Ｒｎｏｔｕｓｅｄが閾値Ｒｔｈ１より大きいとき、中継局３００に保持されたデータのバッファ残量を確認する（Ｓ１９４）。例えば、無線リソース管理部３４４が中継局３００と端末５００との間に割り当てられた無線リソース量に基づいてデータ量を算出し、データ量を切替え制御部３３５に出力する。これにより、切替え制御部３３５はバッファ残量を確認する。
【０１８６】
次いで、中継局３００は、動作モード変更要求を基地局１００に送信する（Ｓ６９１）。例えば、制御信号作成部３３７が当該変更要求を含む制御信号を作成し送信する。また、制御信号作成部３３７はバッファ残量を当該制御信号に含めて作成する。
【０１８７】
基地局１００は、この動作モード変更要求を受信するとスケジューリング方法の変更制御を行う（図１８のＳ７１）。例えば、変更要求信号抽出部１２６が当該変更要求を含む制御信号を抽出する。そして、切替え制御部１２７は、抽出した制御信号に基づいて、ＤｉｓｔｒｉｂｕｔｅｄスケジューリングからＣｅｎｔｒａｌｉｚｅｄスケジューリングにスケジューリング方法を変更することを示す切替え制御信号の作成を指示する。また、切替え制御部１２７は、中継局３００から通知されたバッファ残量から動作モード変更タイミングを決定し、当該タイミングを切替え制御信号作成部１２８に出力する。切替え制御信号作成部１２８は、動作モード変更タイミングと変更要求とを含む切替え制御信号を作成し、中継局３００に送信する。
【０１８８】
一方、中継局３００は、切替え制御信号（又は動作モード変更通知）を受信し（Ｓ６９２）、変更タイミングを受信する（Ｓ６９３）。例えば、切替え制御信号抽出／作成部３３６が切替え制御信号を抽出することで動作モード変更通知と変更タイミングとを受信する。
【０１８９】
次いで、基地局１００と中継局３００は変更タイミングにおいて動作モードをＣｅｎｔｒａｌｉｚｅｄスケジューリング（かつダイナミック無線リソース割り当て）に変更する（Ｓ６９４）。例えば、切替え制御部１２７は変更タイミングにおいて、リレー端末間割り当て制御部１３２とリレー端末間割り当て制御信号作成部１３３、及びリレー端末間通信制御信号作成部１１６等の電源をオフにする。また、切替え制御部３３５はリレー端末間割り当て制御部３４３とリレー端末間割り当て制御信号抽出／作成部３４２等の電源をオフにする。
【０１９０】
そして、中継局３００は動作モード変更処理５を終了する（Ｓ６９５）。
【０１９１】
スケジューリング方法がＤｉｓｔｒｉｂｕｔｅｄスケジューリングからＣｅｎｔｒａｌｉｚｅｄスケジューリングに変更後、基地局１００と中継局３００、及び端末５００は無線回線品質測定及び報告シーケンス１を実行する（Ｓ７５）。無線回線品質測定及び報告シーケンス１は第１の実施例と同様である（例えば、図６）。
【０１９２】
次いで、基地局１００は、各無線回線品質に基づいて、Ｃｅｎｔｒａｌｉｚｅｄスケジューリングを行い（Ｓ７６）、ダイナミック無線リソース割り当てを行う（Ｓ７７）。
【０１９３】
次いで、基地局１００は、通信制御信号と割り当て制御信号とを中継局３００に送信し（Ｓ７８）、中継局３００は通信制御信号等に基づいて送受信処理を行う（Ｓ７９）。そして、基地局１００と中継局３００はデータを送受信する（Ｓ８１）。
【０１９４】
一方、中継局３００は、リレー端末間通信制御信号とリレー端末間割り当て制御信号とを端末５００に送信し（Ｓ８０）、送受信処理を行い（Ｓ８２）、データを送受信する（Ｓ８３）。
【０１９５】
このように本第３の実施例では、中継局３００と端末５００間の未使用無線リソース量が閾値より大きいとき（Ｓ１９３でＹｅｓ）、無線リソース割り当てを部分無線リソース割り当てからダイナミック無線リソース割り当てに変更する。また、スケジューリング方法もＤｉｓｔｒｉｂｕｔｅｄスケジューリングからＣｅｎｔｒａｌｉｚｅｄスケジューリングに変更する。従って、無線リソース割り当てがダイナミック無線リソース割り当てに変更されるため、第１の実施例と同様に無線リソースの有効活用化を図ることができる。
【０１９６】
図２２は、動作モードがＣｅｎｔｒａｌｉｚｅｄスケジューリング（かつダイナミック無線リソース割り当て）、からＤｉｓｔｒｉｂｕｔｅｄスケジューリング（かつ部分無線リソース割り当て）に変更される場合のシーケンス例を示す図である。
【０１９７】
図２２に示すシーケンス例において、基地局１００がＣｅｎｔｒａｌｉｚｅｄスケジューリング等を行い（Ｓ７６〜Ｓ７８）、データの送受信を行い（Ｓ７９〜Ｓ８３）、基地局１００は動作モード変更処理６を行う（Ｓ９０）。
【０１９８】
動作モード変更処理６は、第１の実施例の動作モード変更処理２（例えば、図９）と同様である。基地局１００は、リレー端末間使用無線リソース量Ｒｕｓｅｄが閾値Ｒｔｈ２よりも大きいとき（Ｓ３９３でＹｅｓ）、動作モード変更通知と変更タイミング通知とを中継局３００に送信する（Ｓ１９５，Ｓ１９６）。この場合、無線リソース割り当てがダイナミック無線リソース割り当てから部分無線リソース割り当てに変更され、さらにスケジューリング方法もＣｅｎｔｒａｌｉｚｅｄスケジューリングからＤｉｓｔｒｉｂｕｔｅｄスケジューリングに変更される。
【０１９９】
基地局１００等は、スケジューリング方法がＤｉｓｔｒｉｂｕｔｅｄスケジューリングに変更後、無線回線品質測定及び報告シーケンス２（Ｓ６０）からデータの送受信（Ｓ６８）までの処理を行う。
【０２００】
この場合も、第１の実施例と同様に、中継局３００と端末５００間の使用無線リソース量が閾値より大きいとき、中継局３００と端末５００間において頻繁に無線通信が行われていると考えられる。かかる場合、基地局１００は動作モードをＤｉｓｔｒｉｂｕｔｅｄスケジューリングかつ部分無線リソース割り当てに変更することで、中継局３００と端末５００間の無線リソース領域には無線リソースが敷き詰められ、無線リソースの有効活用を図ることができる。
【０２０１】
＜第４の実施例＞
次に第４の実施例について説明する。第４の実施例は、中継局３００の中継方式がＡＦリレー（かつＣｅｎｔｒａｌｉｚｅｄスケジューリングであり部分無線リソース割り当て）、からＤＦリレー（かつＤｉｓｔｒｉｂｕｔｅｄスケジューリングでありダイナミック無線リソース割り当て）に変更する（又はその逆）例である。本第４の実施例は、無線リソース割り当てとスケジューリング方法の変更に伴い、中継局３００の中継方式も変更する例である。
【０２０２】
図２３は第４の実施例における基地局１００の構成例を示す図である。基地局１００は、さらに、基地局端末間下り無線回線品質情報抽出部（以下、「基地局端末間下り品質抽出部」）１４０と、基地局端末間上り無線回線品質測定算出部（以下、「基地局端末間上り品質算出部」）１４１と、ＡＤ／ＤＦ切替え要求信号抽出部（以下、「切替え要求信号抽出部」）１４２と、ＡＦ／ＤＦ切替え制御部（以下、「切替え制御部」）１４３と、ＡＦ／ＤＦ切替え制御信号作成部（以下、「切替え制御信号作成部」）１４４と、基地局端末間通信制御信号作成部１４５と、基地局端末間無線リソース割り当て制御部（以下、「基地局端末間割り当て制御部」）１４６と、基地局端末間無線リソース割り当て制御信号作成部（以下、「基地局端末間割り当て制御信号作成部」）１４７とを備える。
【０２０３】
基地局端末間下り品質抽出部１４０は、中継局３００を介した基地局１００と端末５００間の下り方向における無線回線品質情報（以下、「基地局端末間下り品質情報」）を抽出する。基地局端末間下り品質抽出部１４０は、基地局端末間下り品質情報をスケジューラ１１０に出力する。
【０２０４】
基地局端末間上り品質算出部１４１は、中継局３００を介して端末５００から送信された上りパイロット信号を抽出し、当該パイロット信号に基づいて、中継局３００を介した基地局１００と端末５００との間の無線通信回線品質を測定及び算出する。基地局端末間上り品質算出部１４１は、算出した無線通信回線品質情報（以下、「基地局端末間上り品質情報」）をスケジューラ１１０に出力する。
【０２０５】
切替え要求信号抽出部１４２は、中継局３００から送信された切替え要求信号を抽出し、切替え制御部１４３に出力する。
【０２０６】
切替え制御部１４３は、切替え要求信号に応じて、中継局３００の中継方式をＤＦ方式からＡＦ方式（又はその逆）に変更する。また、切替え制御部１４３は、ＤＦ方式からＡＦ方式へ（又はその逆）の変更に伴い、Ｄｉｓｔｒｉｂｕｔｅｄスケジューリングかつ部分無線リソース割り当て、からＣｅｎｔｒａｌｉｚｅｄスケジューリングかつダイナミック無線リソース割り当てへ（又はその逆）変更する。切替え制御部１４３は、第１の実施例等と同様に変更タイミングにおいて動作モードの変更を行う。
【０２０７】
切替え制御信号作成部１４４は、切替え制御部１４３からの指示に基づいて、動作モードの変更通知を含む切替え制御信号を作成し、符号化・変調部１２２に出力する。
【０２０８】
基地局端末間通信制御信号作成部１４５は、中継方式がＡＦ方式のとき動作し、スケジューラ１１０から出力されたスケジューリング情報に基づいて、中継局３００を介した基地局１００と端末５００との間で無線通信を行うときのスケジューリングに関する制御信号を作成する。基地局端末間通信制御信号作成部１４５は当該制御信号（以下、「基地局端末間通信制御信号」）を符号化・変調部１２２に出力する。
【０２０９】
基地局端末間割り当て制御部１４６は、ＡＦ方式のとき動作し、スケジューラ１１０からの指示により、中継局３００を介して基地局１００と端末５００とが無線通信を行うときに使用する無線リソースの割り当てを行う。
【０２１０】
基地局端末間割り当て制御信号作成部１４７は、基地局端末間割り当て制御部１４６から出力された無線リソースに関する情報に基づいて、当該無線リソースに関する割り当て制御信号（以下、「基地局端末間割り当て制御信号」）を符号化・変調部１２２に出力する。
【０２１１】
図２４は本第４の実施例における中継局３００の構成例を示す図である。中継局３００は、さらに、ＡＦ／ＤＦ切替え制御信号抽出／作成部（以下、「切替え制御信号抽出／作成部」）３５０と、ＡＦ／ＤＦ切替え制御部（以下、「切替え制御部」）３５１とを備える。
【０２１２】
切替え制御信号抽出／作成部３５０は、基地局１００から送信された切替え制御信号を抽出し、切替え制御部３５１に出力する。また、切替え制御信号抽出／作成部３５０は、切替え制御部３５１からの指示により、切替え制御信号を作成し、端末５００に送信する。
【０２１３】
切替え制御部３５１は、切替え制御信号抽出／作成部３５０からの切替え制御信号に基づいて、符号化・変調部３０４等の電源のオンまたはオフを制御する。例えば、切替え制御部３５１は、ＡＦ方式への切替えが指示されたとき、上り送信無線部３０５と下り送信無線部３２３、及びアンテナ３０１，３０６を除き、中継局３００内の各部３０２等の電源をオフにする。また、切替え制御部３５１は、ＤＦ方式への切替えが指示されたときは、電源オフとなっている他の各部３０２等の電源をオンにする。
【０２１４】
端末５００の構成例は図５に示される。
【０２１５】
次に動作例について説明する。図２５及び図２６は動作例を示すシーケンス図である。図２５等に示す例は、ＤＦ方式でＤｉｓｔｒｉｂｕｔｅｄスケジューリング、かつ部分無線リソース割り当て、からＡＦ方式でＣｅｎｔｒａｌｉｚｅｄスケジューリング、かつダイナミック無線リソース割り当てに変更する例である。図２５に示すように、本第４の実施例も、第３の実施例と同様に、Ｓ６０〜Ｓ６８までの処理を行う。
【０２１６】
次いで、中継局３００は動作モード変更処理７を行う（Ｓ７０）。動作モード変更処理７は、第３の実施例の動作モード変更処理５（例えば、図２１）と同様である。基地局１００は、未生無線リソース量Ｒｎｏｔｕｓｅｄが閾値Ｒｔｈ１より大きいとき（Ｓ１９３でＹｅｓ）、中継局３００と端末５００間での無線通信は頻繁には行われていないと判断して、動作モードを変更する（Ｓ１９４，Ｓ６９１〜Ｓ６９４）。この場合の動作モードは、ＤＦ方式でＤｉｓｔｒｉｂｕｔｅｄスケジューリング、かつ部分無線リソース割り当て、からＡＦ方式でＣｅｎｔｒａｌｉｚｅｄスケジューリング、かつダイナミック無線リソース割り当てに変更される。変更後、中継局３００はＡＦ方式として動作するため、データ等を増幅する上り送信無線部３０５と下り送信無線部３２３、アンテナ３０１，３０６、切替え制御信号抽出／作成部３５０、及び切替え制御部３５１は電源がオンで動作するが、それ以外の部分は動作しない。
【０２１７】
次いで、基地局１００と中継局３００、及び端末５００は無線回線品質測定及び報告シーケンス３を行う（Ｓ８０）。図２７は、無線回線品質測定及び報告シーケンス３のシーケンス例を示す図である。
【０２１８】
基地局１００は下りパイロット信号を中継局３００に送信する（Ｓ８０１）。例えば、基地局端末間通信制御信号作成部１４５が下りパイロット信号を作成し送信する。
【０２１９】
次いで、中継局３００は下りパイロット信号を端末５００に中継する（Ｓ８０２）。例えば、中継局３００はＡＦ方式として動作するため、下り送信無線部３２３が下りパイロット信号を増幅して送信する。
【０２２０】
次いで、端末５００は、下りパイロット信号に基づいて、中継局３００を介して基地局１００と端末５００間の下り無線回線品質を測定及び算出し（Ｓ８０３）、中継局３００に報告する（Ｓ８０４）。例えば、無線回線品質測定部５０７が測定及び算出し、無線回線品質情報作成部５０８が無線回線品質情報（以下、「基地局端末間下り品質情報」）を作成し送信する。
【０２２１】
次いで、中継局３００は、基地局端末間下り品質情報を中継する（Ｓ８０５）。例えば、上り送信無線部３０５が基地局端末間下り品質情報を増幅して送信する。また、例えば、基地局１００の基地局端末間下り品質抽出部１４０が基地局端末間下り品質情報を抽出する。
【０２２２】
次いで、端末５００は、上りパイロット信号を中継局３００に送信する（Ｓ８０６）。
【０２２３】
次いで、中継局３００は、上りパイロット信号を基地局１００に中継する（Ｓ８０７）。例えば、上り送信無線部３０５は上りパイロット信号を増幅して送信する。
【０２２４】
次いで、基地局１００は、上りパイロット信号に基づいて、基地局端末間上り品質を測定及び算出する（Ｓ８０８）。例えば、基地局端末間上り品質算出部１４１が基地局端末間上り品質を測定及び算出する。
【０２２５】
次いで、基地局１００は、各無線回線品質情報に基づいて、中継局３００を介して接続された端末５００に対してスケジューリングを行う（Ｓ８１）。例えば、スケジューラ１１０がスケジューリングを行う。尚、この場合、Ｃｅｎｔｒａｌｉｚｅｄスケジューリングが行われる。
【０２２６】
次いで、基地局１００は、端末５００に対して無線リソースの割り当てを行う（Ｓ８２）。例えば、基地局端末間割り当て制御部１４６が割り当てを行う。
【０２２７】
次いで、基地局１００は、スケジューリング（Ｓ８１）と無線リソース割り当て（Ｓ８２）に応じた基地局端末間通信制御信号と基地局端末間割り当て制御信号とを作成し、中継局３００に送信する（Ｓ８３）。
【０２２８】
次いで、中継局３００は、基地局端末間通信制御信号と基地局端末間割り当て制御信号とを端末５００に中継する（Ｓ８４）。例えば、下り送信無線部３２３はこれら制御信号を増幅して送信する。
【０２２９】
次いで、基地局１００と端末５００は中継局３００を介してデータを送受信する（Ｓ８５，Ｓ８６）。例えば、下り送信無線部３２３と上り送信無線部３０５はデータを増幅して送信する。
【０２３０】
このように、本第４の実施例においても、中継局３００と端末５００間の未使用無線リソース量が閾値より大きいとき、中継方式がＤＦ方式からＡＦ方式に変更される（Ｓ６９４）。その際に、スケジューリング方式もＤｉｓｔｒｉｂｕｔｅｄスケジューリングからＣｅｎｔｒａｌｉｚｅｄスケジューリングに変更され、さらに、部分無線リソース割り当てからダイナミック無線リソース割り当てに変更される。従って、第４の実施例においても第１の実施例と同様に無線リソースの有効活用を図ることができる。
【０２３１】
図２８は、動作モードを、ＡＦ方式でＣｅｎｔｒａｌｉｚｅｄスケジューリングかつダイナミック無線リソース割り当て、からＤＦ方式でＤｉｓｔｒｉｂｕｔｅｄスケジューリングかつ部分無線リソース割り当てへ変更する例を示すシーケンス図である。
【０２３２】
基地局１００等は、Ｓ８０〜Ｓ８６までの処理を行う。
【０２３３】
次いで、基地局１００は動作モード変更処理８を行う（Ｓ９０）。動作モード変更処理８は、第１の実施例の動作モード変更処理２（例えば、図９）と同様の処理を行う。ただし、基地局１００は、ＡＦ方式でＣｅｎｔｒａｌｉｚｅｄスケジューリングかつダイナミック無線リソース割り当て、からＤＦ方式でＤｉｓｔｒｉｂｕｔｅｄスケジューリングかつ部分無線リソース割り当てへ変更を示す動作モード変更通知を送信する（Ｓ１９６）。また、基地局１００と中継局３００は、ＡＦ方式でＣｅｎｔｒａｌｉｚｅｄスケジューリングかつダイナミック無線リソース割り当て、からＤＦ方式でＤｉｓｔｒｉｂｕｔｅｄスケジューリングかつ部分無線リソース割り当てへ、動作モードを変更する（Ｓ９０１）。例えば、中継局３００は、上り送信無線部３０５等以外の他の部分３０２等も電源がオンになり動作する。基地局１００では、切替え制御部１４３の制御により、基地局端末間割り当て制御部１４６等の電源がオフになり、基地局リレー間割り当て制御部１３０等の電源がオンになり動作する。なお、ＤＦ方式において中継データに対する誤り訂正は、例えば符号化・変調部３０４，３２２で行われる。
【０２３４】
この場合も、中継局３００と端末５００間の使用無線リソース量が閾値より大きいとき、基地局１００はＡＦ方式からＤＦ方式へ中継方式を変更するようにしている。この際に、ダイナミック無線リソース割り当てから部分無線リソース割り当てに無線リソース割り当てが変更されるため、中継局３００と端末５００間の無線リソース領域には無線リソースが敷き詰められ、無線リソースの有効活用を図ることができる。
【０２３５】
＜その他の実施例＞
第４の実施例において、基地局１００と中継局３００は、変更タイミングにおいて中継方式を切替えるようにした。一般に、ＤＦ方式はＡＦ方式と比較して符号化等の処理を行う分だけ処理及び制御に遅延が発生する。そこで、基地局１００は、符号化等の処理等で発生する遅延分を考慮して変更タイミングを演算するようにしてもよい。例えば、切替え制御部３５１は、変更タイミングを演算後、処理遅延分を加算し、これを変更タイミングとして中継局３００に通知する。基地局１００と中継局３００は、処理遅延分を考慮した変更タイミングで、例えばＤＦ方式からＡＦ方式に変更される。
【０２３６】
同様に、本無線通信システム１０は中継局３００を備える分、伝送遅延がある。例えば、基地局１００は、この伝送遅延分だけ遅らせたタイミングを変更タイミングとして、中継局３００に送信してもよい。かかる例は上述した第１〜第４の実施例において実施できる。
【符号の説明】
【０２３７】
１０：無線通信システム                １００：基地局装置（基地局）
１０４：基地局リレー間下り無線回線品質情報抽出部（基地局リレー間下り品質抽出部）
１０５：リレー端末間下り無線回線品質情報抽出部（リレー端末間下り品質抽出部）
１０６：基地局リレー間上り無線回線品質測定算出部（基地局リレー間上り品質算出部）
１０７：リレー端末間上り無線回線品質情報抽出部（リレー端末間上り品質抽出部）
１１０：スケジューラ                  
１１１：ダイナミック無線リソース割り当て制御部（ダイナミック割り当て制御部）
１１２：ダイナミック無線リソース割り当て制御信号作成部（ダイナミック割り当て制御信号作成部）
１１３：部分無線リソース割り当て制御部（部分割り当て制御部）
１１４：部分無線リソース割り当て制御信号作成部（部分割り当て制御信号作成部）
１１５：基地局リレー間通信制御信号作成部
１１６：リレー端末間通信制御信号作成部
１２０：無線リソース割り当て制御方法切替え制御部（切替え制御部）
１２１：無線リソース割り当て制御方法切替え制御信号作成部（切替え制御信号作成部）
１２５：リレー端末間無線回線品質情報抽出部（リレー端末間品質抽出部）
１２６：スケジューリング方法変更要求信号抽出部（変更要求信号抽出部）
１２７：Ｃｅｎｔｒａｌｉｚｅｄ／Ｄｉｓｔｒｉｂｕｔｅｄ切替え制御部（切替え制御部）
１２８：Ｃｅｎｔｒａｌｉｚｅｄ／Ｄｉｓｔｒｉｂｕｔｅｄ切替え制御信号作成部（切替え制御信号作成部）
１３０：基地局リレー間無線リソース割り当て制御部（基地局リレー間割り当て制御部）
１３１：基地局リレー間無線リソース割り当て制御信号作成部（基地局リレー間割り当て制御信号作成部）
１３２：リレー端末間無線リソース割り当て制御部（リレー端末間割り当て制御部）
１３３：リレー端末間無線リソース割り当て制御信号作成部（リレー端末割り当て制御信号作成部）
１４０：基地局端末間下り無線回線品質情報抽出部（基地局端末間下り品質抽出部）
１４１：基地局端末間上り無線回線品質測定算出部（基地局端末間上り品質算出部）
１４２：ＡＦ／ＤＦ切替え要求信号抽出部（切替え要求信号抽出部）
１４３：ＡＦ／ＤＦ切替え制御部（切替え制御部）
１４４：ＡＦ／ＤＦ切替え制御信号作成部（切替え制御信号作成部）
１４５：基地局端末間通信制御信号作成部
１４６：基地局端末間無線リソース割り当て制御部（基地局端末間割り当て制御部）
１４７：基地局端末間無線リソース割り当て制御信号作成部（基地局端末間割り当て制御信号作成部）
３００：中継局装置（中継局）
３０７：リレー端末間下り無線回線品質情報抽出部（リレー端末間下り品質抽出部）
３０８：上り無線回線品質測定算出部（上り品質算出部）
３０９：上り無線回線品質情報作成部（上り品質情報作成部）
３１０：スケジューラ
３１１：ダイナミック無線リソース割り当て制御信号抽出部（ダイナミック割り当て制御信号抽出部）
３１２：ダイナミック無線リソース割り当て制御部（ダイナミック割り当て制御部）
３１３：部分無線リソース割り当て制御信号抽出部（部分割り当て制御信号抽出部）
３１４：部分無線リソース割り当て制御部（部分割り当て制御部）
３１５：リレー端末間通信制御信号作成部
３１６：切替え制御信号抽出部          ３１７：通信制御信号抽出部
３３０：基地局リレー間下り無線回線品質測定算出部（基地局リレー間下り品質算出部）
３３１：基地局リレー間下り無線回線品質情報作成部（基地局リレー間下り品質情報作成部）
３３２：リレー端末間上り無線回線品質測定算出部（リレー端末間上り品質算出部）
３３３：リレー端末間上り無線回線品質情報作成部（リレー端末間上り品質情報作成部）
３３５：Ｃｅｎｔｒａｌｉｚｅｄ／Ｄｉｓｔｒｉｂｕｔｅｄ切替え制御部（切替え制御部）
３３６：Ｃｅｎｔｒａｌｉｚｅｄ／Ｄｉｓｔｒｉｂｕｔｅｄ切替え制御信号抽出／作成部（切替え制御信号抽出／作成部）
３３７：制御信号作成部
３３８：基地局リレー間通信制御信号抽出部（基地局リレー間通信制御信号抽出部）
３４０：基地局リレー間無線リソース割り当て制御信号抽出部（基地局リレー間割り当て制御信号抽出部）
３４１：基地局リレー間無線リソース割り当て制御部（基地局リレー間割り当て制御部）
３４２：リレー端末間無線リソース割り当て制御信号抽出／作成部（リレー端末間割り当て制御信号抽出／作成部）
３４３：リレー端末間無線リソース割り当て制御部（リレー端末間割り当て制御部）
３４４：無線リソース管理部            
３５０：ＡＦ／ＤＦ切替え制御信号抽出／作成部（切替え制御信号抽出／作成部）
３５１：ＡＦ／ＤＦ切替え制御部（切替え制御部）
５００：端末装置（端末）              ５０４：通信制御信号抽出部
５０５：無線リソース割り当て制御信号抽出部（割り当て制御信号抽出部）
５０６：制御信号送信タイミング情報抽出部
５０７：無線回線品質測定部            ５０８：無線回線品質情報作成部
５１０：通信制御部
【図１】
2011007388.tif 000003
【図２】
2011007388.tif 000004
【図３】
2011007388.tif 000005
【図４】
2011007388.tif 000006
【図５】
2011007388.tif 000007
【図６】
2011007388.tif 000008
【図７】
2011007388.tif 000009
【図８】
2011007388.tif 000010
【図９】
2011007388.tif 000011
【図１０】
2011007388.tif 000012
【図１１】
2011007388.tif 000013
【図１２】
2011007388.tif 000014
【図１３】
2011007388.tif 000015
【図１４】
2011007388.tif 000016
【図１５】
2011007388.tif 000017
【図１６】
2011007388.tif 000018
【図１７】
2011007388.tif 000019
【図１８】
2011007388.tif 000020
【図１９】
2011007388.tif 000021
【図２０】
2011007388.tif 000022
【図２１】
2011007388.tif 000023
【図２２】
2011007388.tif 000024
【図２３】
2011007388.tif 000025
【図２４】
2011007388.tif 000026
【図２５】
2011007388.tif 000027
【図２６】
2011007388.tif 000028
【図２７】
2011007388.tif 000029
【図２８】
2011007388.tif 000030
【手続補正書】
【提出日】平成23年11月21日(2011.11.21)
【手続補正１】
【補正対象書類名】特許請求の範囲
【補正対象項目名】全文
【補正方法】変更
【補正の内容】
【特許請求の範囲】
【請求項１】
中継局装置を介して基地局装置と端末装置との間で無線通信を行う無線通信システムにおいて、
前記基地局装置は、
前記中継局装置と前記端末装置に対する無線リソースの割り当て方式、又は前記無線リソースの割り当て方式及びスケジューリング方式、又は前記無線リソースの割り当て方式及びスケジューリング方式及び前記中継局装置における中継方式、のうち少なくともいずれかを変更する変更部と、
前記変更部により変更したことを示す変更通知を前記中継装置に送信する送信部とを備え、
前記中継装置は、
前記変更通知を受信する受信部を備え、
前記基地局装置、前記中継局装置、及び前記端末装置は、少なくとも変更後の前記無線リソースの割り当て方式により割り当てた又は割り当てられた前記無線リソースを用いて無線通信を行うことを特徴とする無線通信システム。
【請求項２】
前記変更部は、前記端末装置の無線リソース量または前記端末装置の数に基づいて、前記変更を行うことを特徴とする請求項１記載の無線通信システム。
【請求項３】
前記変更部は、前記中継装置に記憶された送信データのデータ量に基づいて前記変更の変更タイミングを決定し、
前記送信部は、前記変更タイミングを前記変更通知に含めて前記中継装置に送信することを特徴とする請求項１記載の無線通信システム。
【請求項４】
前記無線リソースの割り当て方式は、時間領域と周波数領域とを有する無線フレームが予め分割され分割された領域内で、前記基地局装置と前記中継局装置間の無線通信で使用される第１の無線リソースと前記中継局装置と前記端末装置間の無線通信で使用される第２の無線リソースとが各々割り当てられる第１の割り当て方式、又は前記無線フレーム内において第１及び第２の無線リソースがランダムに割り当てられる第２の割り当て方式であり、
前記変更部は、前記第１又は第２の割り当て方式に変更することを特徴とする請求項１記載の無線通信システム。
【請求項５】
前記スケジューリング方式は、前記基地局装置においてスケジューリングを行う第１のスケジューリング方式、又は前記基地局装置と前記中継局装置においてスケジューリングを行う第２のスケジューリング方式であり、
前記変更部は、前記第１又は第２のスケジューリング方式に変更することを特徴とする請求項４記載の無線通信システム。
【請求項６】
前記中継方式は、無線通信により中継する中継データに対して誤り訂正及び増幅を行う第１の中継方式、又は前記中継データを増幅する第２の中継方式であることを特徴とする請求項１記載の無線通信システム。
【請求項７】
中継局装置を介して端末装置と無線通信を行う基地局装置において、
前記中継局装置と前記端末装置に対する無線リソースの割り当て方式、又は前記無線リソースの割り当て方式及びスケジューリング方式、又は前記無線リソースの割り当て方式及びスケジューリング方式及び前記中継局装置における中継方式、のうち少なくともいずれかを変更する変更部と、
前記変更部により変更したことを示す変更通知を前記中継装置に送信する送信部とを備え、
少なくとも変更後の前記無線リソースの割り当て方式により割り当てた前記無線リソースを用いて前記中継局装置及び前記端末装置と無線通信を行うことを特徴とする基地局装置。
【請求項８】
基地局装置及び端末装置と無線通信を行う中継局装置において、
前記中継局装置と前記端末装置に対する無線リソースの割り当て方式、又は前記無線リソースの割り当て方式及びスケジューリング方式、又は前記無線リソースの割り当て方式及びスケジューリング方式及び前記中継局装置における中継方式、のうち少なくともいずれかが変更され、前記変更されたことを示す変更通知を前記基地局装置から受信する受信部を備え、
少なくとも変更後の前記無線リソース割り当て方式に割り当てた又は割り当てられた前記無線リソースを用いて前記基地局装置及び前記端末装置と無線通信を行うことを特徴とする中継局装置。
【請求項９】
基地局装置と中継局装置を介して無線通信を行う端末装置において、
前記中継局装置と前記端末装置に対する無線リソースの割り当て方式、又は前記無線リソースの割り当て方式及びスケジューリング方式、又は前記無線リソースの割り当て方式及びスケジューリング方式及び前記中継局装置における中継方式、のうち少なくともいずれかが変更され、少なくとも変更後の前記無線リソース割り当て方式により割り当てられた前記端末装置に対する前記無線リソースに関する情報を前記中継局装置から受信する受信部と、
前記無線リソースを用いて前記中継局装置と無線通信を行う通信部と
を備えることを特徴とする端末装置。
【請求項１０】
中継局装置を介して基地局装置と端末装置との間で無線通信を行う無線通信システムにおける無線通信方法であって、
前記基地局装置は、
前記中継局装置と前記端末装置に対する無線リソースの割り当て方式、又は前記無線リソースの割り当て方式及びスケジューリング方式、又は前記無線リソースの割り当て方式及びスケジューリング方式及び前記中継局装置における中継方式、のうち少なくともいずれかを変更し、
前記変更部により変更したことを示す変更通知を前記中継装置に送信し、
前記中継装置は、
前記変更通知を受信し、
前記基地局装置、前記中継局装置、及び前記端末装置は、少なくとも変更後の前記無線リソースの割り当て方式により割り当てた又は割り当てられ前記無線リソースを用いて無線通信を行うことを特徴とする無線通信方法。
【国際調査報告】
2011007388.tif 000031
2011007388.tif 000032
2011007388.tif 000033
2011007388.tif 000034